(57)【特許請求の範囲】
【請求項１】
上面から下面まで貫通する取付用穴が形成されて軸方向に延長された案内レールと、該案内レールの上面に粘着剤を介して貼り付けられて前記取付用穴の上部開口を覆う帯状体と、多数の転動体の転動を介して軸方向に沿って相対移動可能に前記案内レールに支持されたスライダとを備えたリニアガイド装置において、
前記帯状体の幅方向の両側の前記案内レールの接点に軸方向に沿って耐水性素材のコーティングを施したことを特徴とするリニアガイド装置。
【発明の詳細な説明】
【０００１】
【発明の属する技術分野】
本発明は、案内レールの上面に防塵用の帯状体が貼り付けられたリニアガイド装置に関する。
【０００２】
【従来の技術】
リニアガイド装置は、軸方向に延びる案内レールに転動自在な多数の転動体を介してスライダが直線移動可能に支持されている。案内レールには上面から下面まで貫通する複数の取付用穴が軸方向に略等間隔で設けられており、この取付用穴に挿通したボルトを基台等に締め付けることにより、案内レールが基台等に固定される。一方、スライダにはテーブル等の被駆動体が取付けられて、上記案内レール沿いに移動するようになっている。
【０００３】
この従来のリニアガイド装置では、案内レールの上面にゴミ，ほこり，切屑等が堆積し、これがスライダ内に侵入すると転動体の円滑な転動が妨げられ、ひいてはスライダの円滑な移動が妨げられる。すなわち、リニアガイド装置における案内レール防塵シール性能の向上は、リニアガイド装置の特性上重要な要件になっており、そのため、スライダの軸方向の両端部には防塵用のワイパシールが取付けられている。
【０００４】
ところで、案内レールを基台に固定する場合、上述したように案内レール上面に開口している取付用穴にボルトを挿通して締め付けるものであるから、ボルトの頭部上面が取付用穴のなかにいくらか沈み込み、従って、案内レールを基台に固定した状態においては、案内レール上面の取付用穴の箇所が窪みになる。すると、この窪みに溜まった塵埃等は上記の防塵用ワイパシールを潜り抜けてスライダ内部に侵入し、ワイパシールのシール機能が損なわれてしまう。そこでこの取付用穴の窪みに埋栓をすることが行われている。
【０００５】
しかし、取付用穴周辺との段差を完全に無くすように該取付用穴の窪みに埋栓をすることは工数が大きくコストアップとなるという問題があり、通常、埋栓頭部外縁と取付用穴の開口縁には多少段差が生じる。そのためこの段差にワイパシールが引っ掛かり、シールが傷つけられると共にスライダの摺動抵抗が変動するという問題がある。
【０００６】
そこで、このような問題を解決するために、実公平６−２０２７号公報では、案内レールの上面に金属製テープ等の帯状体を粘着剤を介して貼り付けて前記取付用穴の上部開口を覆い、これにより、取付用穴の窪みによる悪影響を受けないようにしたものが開示されている。
【０００７】
【発明が解決しようとする課題】
しかしながら、上記従来のリニアガイド装置においては、乾燥した環境で使用する場合は効果的であるが、クーラント切削液等の水溶性の物質がかかる環境で使用する場合は、帯状体と案内レール上面との間に介在する粘着剤に水溶液が浸透して該粘着剤の粘着性が低下し、案内レールの上面から帯状体が剥離する虞れがある。
【０００８】
本発明はこのような不都合を解消するためになされたものであり、水溶性の物質がかかる環境で使用する場合においても、帯状体が剥離することなく、優れた防塵シール性能を得ることができるリニアガイド装置を提供することを目的とする。
【０００９】
【課題を解決するための手段】
かかる目的を達成するために、請求項１に係る発明は、上面から下面まで貫通する取付用穴が形成されて軸方向に延長された案内レールと、該案内レールの上面に粘着剤を介して貼り付けられて前記取付用穴の上部開口を覆う帯状体と、多数の転動体の転動を介して軸方向に沿って相対移動可能に前記案内レールに支持されたスライダとを備えたリニアガイド装置において、
前記帯状体の幅方向の両側の前記案内レールの接点に軸方向に沿って耐水性素材のコーティングを施したことを特徴とする。
【００１２】
【発明の実施の形態】
以下、本発明の実施の形態を図を参照して説明する。
図１は本発明の実施の形態の一例であるリニアガイド装置を説明するための説明的斜視図、図２は図１の軸方向の一端側から見た図で一部を切り欠いた図、図３は帯状体であるメタルテープの裏面図、図４は図１のＩＩＩ−ＩＩＩ線断面図、図５は剥離防止部材の変形例を説明するための説明的断面図、図６は帯状体の他の態様を説明するための説明的斜視図、図７は粘着剤構造の他の態様を説明するための説明的断面図である。
【００１３】
図１〜図５を参照して、このリニアガイド装置は、軸方向に長く延びる案内レール１上に移動可能にスライダ２が跨架されており、案内レール１の上面には、その全長にわたり幅広で浅い凹条１Ａが形成されている。
凹条１Ａには上面から下面まで貫通する複数の取付用穴５が軸方向に略等間隔で設けられており、この取付用穴５に挿通したボルト４を基台３に設けられたねじ穴に螺合して締め付けることにより、案内レール１が基台３に固定される。
【００１４】
案内レール１の両外側面には軸方向に転動体転動溝１１が形成され、また、スライダ２のスライダ本体２Ａにはその両袖部１２の内側面に前記転動体転動溝１１に対向する転動体転動溝１３が形成されている。
そして、これらの向き合わせた両転動体転動溝１１、１３の間には転動体としての多数のボール１４が転動自在に装填され、そのボール１４の転動を介してスライダ２が案内レール１上を軸方向に沿って移動するようになっている。この移動につれて、案内レール１とスライダ２との間に介在するボール１４は転動してスライダ本体２Ａの端部に移動するから、スライダ２を軸方向に連続的に移動させるためには、これらのボール１４を循環させる必要がある。
【００１５】
そこで、スライダ本体２Ａの袖部１２内に、更に軸方向に貫通する転動体戻し孔１５を形成するとともに、スライダ本体２Ａの前後両端にエンドキャップ１６を設けて、これに転動体戻し孔１５に連通する図示されないＵ字形の連結路を形成することにより転動体循環路を構成している。
案内レール１を取付用穴５に通したボルト４で基台３に固定した後、ボルト上面４Ａと案内レールの凹条１Ａの面との段差を埋めるべく、取付用穴５の上部に埋栓６を装着する。
【００１６】
案内レール１の上面には、防塵装置２０が装着されている。この防塵装置２０は、案内レール１の全長にわたり載置された粘着剤付の帯状体、例えばこの実施の形態例では片面粘着剤付メタルテープ２１（以下、単にメタルテープという）と、このメタルテープ２１の長さ方向の両端の剥離を防止する剥離防止部材２２とを備えており、この剥離防止部材２２はメタルテープ２１の端部を押さえて該メタルテープ２１と共に案内レール１の軸方向の端部に固定ねじ２３を介して固定されるようになっている。
【００１７】
メタルテープ２１は、例えば薄いベルト状のステンレス鋼板などの片面に粘着剤が塗布され、その粘着剤面が容易に剥離可能な非接着性の保護テープで被覆されてなるものであり、案内レール１の上面の凹条１Ａの幅に合わせた幅に形成されている。
メタルテープ２１の長さについては、この実施の形態では、テープ両端を案内レール１の端面に折り込んだうえ、更に案内レール１の下面に折り込める長さにしてある。
【００１８】
ここで、この実施の形態では、図３に示すように、メタルテープ２１の片面の幅方向の中央部に粘着性に優れたアクリル系粘着剤（主粘着剤）５０を長手方向の全長にわたって塗布すると共に、該メタルテープ２１の片面の幅方向の両側に耐水性に優れたシリコン系粘着剤（異種粘着剤）５１を長手方向の全長にわたって塗布している。
【００１９】
剥離防止部材２２は金属板製で、メタルテープ２１の幅と略同幅であり、この実施の形態では、図４に示すように、案内レール１の上面と下面に引っ掛けて案内レール端面に被せるように、全体がコ字型に形成されている。なお、案内レール１の下面端部には切り欠き部１Ｂが形成され、レール端に嵌着した剥離防止部材２２がレール下面から突出しないように考慮されている。この剥離防止部材２２のレール端面被覆面には、固定ねじ２３の挿通孔２３Ａが形成されている。
【００２０】
なお、エンドキャップ１６の端面にはワイパシールＷがねじ２６で取付けられており、エンドキャップ１６の側面にはグリスニップル２７が取付けられている。また、２８はスライダ本体２Ａに例えばテーブルを取付ける締め付けボルトのねじ穴である。
上記構成のメタルテープ２１の案内レール１への貼り付けは、案内レール１を取付用穴５に通したボルト４で基台３に固定し、更に取付用穴５の上部に埋栓６を装着した後に、次の手順で行う。
【００２１】
まず、メタルテープ２１の粘着剤５０，５１に被覆された保護テープを剥離し、次いで、メタルテープ２１に張力を与えた状態で該メタルテープ２１を案内レール１の上面の凹条１Ａの上に貼り付ける。メタルテープ２１は案内レール１の全長より長くされているから、メタルテープ２１の両端はみ出し部分を、案内レール１の端面側に折り曲げ、更に案内レール１下面の切欠き部１Ｂ側に折り曲げて貼り付ける。
【００２２】
次いで、剥離防止部材２２を案内レール１の端面に嵌着するとともに、該剥離防止部材２２の固定ねじ挿通孔２３Ａとメタルテープ２１とに固定ねじ２３を挿通して案内レール１端面のねじ穴２４にねじ込む。このようにして、メタルテープ２１の端部を剥離防止部材２２で押さえることで、メタルテープ２１の両端をそれぞれ剥がれ止め処理する。
【００２３】
メタルテープ２１が貼り付けられた案内レール１上をスライダ２が移動すると、該スライダ２の進行に伴い、ワイパシールＷのリップ部が、案内レール１のボール転動溝１１や、凹条１Ａに装着したメタルテープ２１の面に付着した塵埃を払拭する。
上記の説明から明らかなように、この実施の形態では、メタルテープ２１の片面の幅方向の中央部に粘着性に優れたアクリル系粘着剤５０が配置され、幅方向の両側に耐水性に優れたシリコン系粘着剤５１が配置されているため、クーラント切削液等の水溶性の物質がかかる環境で使用する場合においても、メタルテープ２１と案内レール上面との間に介在する粘着剤に水溶液が浸透するのを防止することができ、この結果、主粘着剤であるアクリル系粘着剤５０の粘着性を低下させることなく、乾燥した環境で使用するのと同様に剥離を起こさない状態を保つことができ、優れた防塵シール性能を得ることができる。
【００２４】
また、案内レール１の上面に開口する複数の取付用穴５は全て、メタルテープ２１で覆われるため、段差の影響を受けることなくスライダ２の作動が極めて円滑に行われ、しかも、メタルテープ２１は、案内レール１の全長にわたり張力を与えた状態で粘着剤で貼り付けられているため、波打つおそれはない。
図５に、剥離防止部材の変形例を示す。
【００２５】
この剥離防止部材３２は、一端側のみを直角に折り曲げてＬ字型とされた点が、上記実施の形態と異なっている。
この剥離防止部材３２の場合は、メタルテープ２１の端末は１回だけ折り曲げて案内レール１の端面に貼り付け、その上をＬ型の剥離防止部材３２で押さえるものであり、テープ長さが短く且つ剥離防止部材３２の加工が簡単で、そのぶん低価格になる利点がある。
【００２６】
なお、上記実施の形態では、帯状体の材質を、金属製のメタルテープとした場合を例に採ったが、これに限らず、例えば合成樹脂製であってもよい。
又、テープ長さを案内レール１の全長と同じくして、テープ端面を案内レール１の端面に折り込まずに剥離防止部材２２で押さえるようにしてもよい。
又、案内レール１の上面は凹条６を有しない平面状のものに対しても適用できる。
【００２７】
図６に帯状体の他の態様を、図７に粘着剤構造の他の態様をそれぞれ示す。
図６の帯状体は、上記実施の形態と同様に例えば薄いベルト状のステンレス鋼板などの片面に主粘着剤であるアクリル系粘着剤６１が塗布されたメタルテープ６０とされており、該粘着剤６１はメタルテープ６０の片面全面に長手方向に沿って塗布されている。
【００２８】
そして、上記同様にして、メタルテープ６０に張力を与えた状態で該メタルテープ６０を案内レール１（ここでは上面に凹条６を有しない平面状のもの）の上面に貼り付けた後、メタルテープ６０の幅方向の両側の案内レール１の接点に軸方向に沿って耐水性素材のコーティング６２（例えばシリコンコーティング、フッ素樹脂コーティング等）を施している。これにより、上記実施の形態と同様の作用効果を得ることができる。
【００２９】
図７の粘着剤構造は、メタルテープと同一幅の基材（例えばアクリルフォーム、フィルム、紙等）７０の両面の全面に粘着性に優れたアクリル系粘着剤７１等を塗布し、基材７０の一方の面の粘着剤７１をメタルテープに貼り付け、他方の面の粘着剤７１を案内レール１の上面に貼り付けるようにしたものである。
かかる粘着剤構造をメタルテープと案内レールの上面との間に有するリニアガイド装置においては、スライダがメタルテープ上を移動する際のワイパーシールＷとの接触によるメタルテープの振動を低減するためと考えられるが、単にメタルテープを粘着剤を介して案内レールの上面に貼り付けた従来のリニアガイド装置に比べて、クーラント水溶液滴下条件におけるメタルテープの耐久性が大幅に向上したことが確認された。
【００３０】
【発明の効果】
上記の説明から明らかなように、本発明によれば、水溶性の物質がかかる環境で使用する場合においても、帯状体が剥離することなく、優れた防塵シール性能を得ることができるという効果が得られる。
【図面の簡単な説明】
【図１】本発明の実施の形態の一例であるリニアガイド装置を説明するための説明的斜視図である。
【図２】図１の軸方向の一端側から見た図で一部を切り欠いた図である。
【図３】帯状体であるメタルテープの裏面図である。
【図４】図１のＩＩＩ−ＩＩＩ線断面図である。
【図５】剥離防止部材の変形例を説明するための説明的断面図である。
【図６】帯状体の他の態様を説明するための説明的斜視図である。
【図７】粘着剤構造の他の態様を説明するための説明的断面図である。
【符号の説明】
１…案内レール
２…スライダ
５…取付用穴
１４…ボール（転動体）
２１…メタルテープ（帯状体）
５０…アクリル系粘着剤（主粘着剤）
５１…シリコン系粘着剤（異種粘着剤）
６１…アクリル系粘着剤
６２…耐水性コート
７０…基材
７１…アクリル系粘着剤
【図１】
0004442055.tif 000002
【図２】
0004442055.tif 000003
【図３】
0004442055.tif 000004
【図４】
0004442055.tif 000005
【図５】
0004442055.tif 000006
【図６】
0004442055.tif 000007
【図７】
0004442055.tif 000008